(57)【要約】      （修正有）【課題】テストプリントにおいてテンプレートを利用するための手間を少なくする。【解決手段】画像形成装置において、画像処理部１０のテンプレート記憶部１０４は、画像形成部が行うプリントの設定を定めたテンプレートを記憶する。テストプリント制御部１０３は、画像形成部の動作を制御して、テンプレートを用いたテストプリントを行わせる。テストプリント制御部１０３は、テンプレートを用いたテストプリントを指示する指示操作が行われた場合に、そのテンプレートの設定を反映したテストプリントを画像形成部に指示する指示データを生成して出力する。この指示操作は、テストプリントに用いられるテンプレートが表示された画面上で行われる。【選択図】図３
2020191115.tif 000002
【特許請求の範囲】
【請求項１】
第１指示データの一覧を表示する指示データ一覧表示部と、
前記第１指示データの一覧から１つの第１指示データの選択を受け付ける第１受付部と、
テンプレートの一覧を表示するテンプレート一覧表示部と、
前記テンプレートの一覧から一つのテンプレートの選択を受け付ける第２受付部と、
選択された前記第１指示データと選択された前記テンプレートとから生成された第２指示データを用いたテストプリントを開始する処理を画像形成装置に要求するプリント開始要求部と、
前記第２指示データを用いてテストプリントが行われたときに表示される画面において特定の操作が行われると、前記第１指示データの設定を前記第２指示データの設定に変更する第１変更部と
を備えるクライアント端末。
【請求項２】
第１指示データの一覧を表示する指示データ一覧表示部と、
前記第１指示データの一覧から１つの第１指示データの選択を受け付ける第１受付部と、
テンプレートの一覧を表示するテンプレート一覧表示部と、
前記テンプレートの一覧から一つのテンプレートの選択を受け付ける第２受付部と、
選択された前記第１指示データと選択された前記テンプレートとから生成された第２指示データを用いたテストプリントを開始する処理を画像形成装置に要求するプリント開始要求部と
を備え、
前記プリント開始要求部は、複数の前記テンプレートが属するグループに属する複数のテンプレートを反映した複数のテストプリントをそれぞれ指示する複数の第２指示データを生成する
クライアント端末。
【請求項３】
前記複数のグループのうちのいずれかを選択する操作が行われた場合、選択された前記グループについて前記複数の指示データを生成する指示データ生成部を備える
請求項２に記載のクライアント端末。
【請求項４】
前期指示データ生成部は、前記テンプレートを用いたテストプリントを行う媒体に当該テンプレートを識別する情報をプリントする指示を示すデータを、前記テンプレートの設定を反映したテストプリントを指示する指示データとして生成する
請求項１から３のいずれか１項に記載のクライアント端末。
【請求項５】
特定の項目の設定が互いに異なる複数のテンプレートを生成する処理を画像形成装置に要求するテンプレート編集要求部を備える
請求項１から４のいずれか１項に記載のクライアント端末。
【請求項６】
前記テンプレート編集要求部は、各設定にユーザが定めた重みを付与し、テンプレートの設定として採用する確率を付与された重みに応じて変化させる処理を画像形成装置に要求する
請求項５に記載のクライアント端末。
【発明の詳細な説明】
【技術分野】
【０００１】
本発明は、クライアント端末に関する。
【背景技術】
【０００２】
特許文献１には、テンプレート生成部が生成したリネーム用のジョブテンプレートに従って、原稿の読み取り順に生成される画像ファイルに指定されたファイル名を順次付与する技術が開示されている。
【先行技術文献】
【特許文献】
【０００３】
【特許文献１】特開２００３−２７１６１４号公報
【発明の概要】
【発明が解決しようとする課題】
【０００４】
プリントする画像の出来を判断するためのテストプリントを行う場合に、予めプリントの設定を定めたテンプレートを利用すると便利である。また、テストプリントを何度も行う場合には、テンプレートを利用するための手間が少ないほど望ましい。
そこで、本発明は、テストプリントにおいてテンプレートを利用するための手間を少なくすることを目的とする。
【課題を解決するための手段】
【０００５】
本発明の請求項１に係るクライアント端末は、第１指示データの一覧を表示する指示データ一覧表示部と、前記第１指示データの一覧から１つの第１指示データの選択を受け付ける第１受付部と、テンプレートの一覧を表示するテンプレート一覧表示部と、前記テンプレートの一覧から一つのテンプレートの選択を受け付ける第２受付部と、選択された前記第１指示データと選択された前記テンプレートとから生成された第２指示データを用いたテストプリントを開始する処理を画像形成装置に要求するプリント開始要求部と、前記第２指示データを用いてテストプリントが行われたときに表示される画面において特定の操作が行われると、前記第１指示データの設定を前記第２指示データの設定に変更する第１変更部とを備えることを特徴とする。
【０００６】
本発明の請求項２に係るクライアント端末は、第１指示データの一覧を表示する指示データ一覧表示部と、前記第１指示データの一覧から１つの第１指示データの選択を受け付ける第１受付部と、テンプレートの一覧を表示するテンプレート一覧表示部と、前記テンプレートの一覧から一つのテンプレートの選択を受け付ける第２受付部と、選択された前記第１指示データと選択された前記テンプレートとから生成された第２指示データを用いたテストプリントを開始する処理を画像形成装置に要求するプリント開始要求部とを備え、前記プリント開始要求部は、複数の前記テンプレートが属するグループに属する複数のテンプレートを反映した複数のテストプリントをそれぞれ指示する複数の第２指示データを生成することを特徴とする。
【０００７】
本発明の請求項３に係るクライアント端末は、請求項２に記載の構成において、前記複数のグループのうちのいずれかを選択する操作が行われた場合、選択された前記グループについて前記複数の指示データを生成する指示データ生成部を備えることを特徴とする。
【０００８】
本発明の請求項４に係るクライアント端末は、請求項１から３のいずれか１項に記載の構成において、前期指示データ生成部は、前記テンプレートを用いたテストプリントを行う媒体に当該テンプレートを識別する情報をプリントする指示を示すデータを、前記テンプレートの設定を反映したテストプリントを指示する指示データとして生成することを特徴とする。
【０００９】
本発明の請求項５に係るクライアント端末は、請求項１から４のいずれか１項に記載の構成において、特定の項目の設定が互いに異なる複数のテンプレートを生成する処理を画像形成装置に要求するテンプレート編集要求部を備えることを特徴とする。
【００１０】
本発明の請求項６に係るクライアント端末は、請求項５に記載の構成において、前記テンプレート編集要求部は、各設定にユーザが定めた重みを付与し、テンプレートの設定として採用する確率を付与された重みに応じて変化させる処理を画像形成装置に要求することを特徴とする。
【発明の効果】
【００１１】
請求項１、９に係る発明によれば、テストプリントにおいてテンプレートを利用するための手間を少なくすることができる。
請求項２に係る発明によれば、元の指示データの設定を変更して上書きする場合に比べて、元の指示データを利用する際の手間を少なくすることができる。
請求項３に係る発明によれば、テンプレートを指示データに反映するための操作が別の画面で行われる場合に比べて、元の指示データにテンプレートを反映する手間を少なくすることができる。
請求項４、５に係る発明によれば、複数通りの設定をテストプリントで試す際の手間を、テンプレートを用いたテストプリントの開始操作を複数回行う場合に比べて少なくすることができる。
請求項６に係る発明によれば、テンプレートを識別する情報が媒体に形成されない場合に比べて、テストプリントで用いられたテンプレートの確認を容易にすることができる。
請求項７に係る発明によれば、複数のテンプレートを生成させる際の手間を、各テンプレートの設定をユーザが個々に行う場合に比べて少なくすることができる。
請求項８に係る発明によれば、複数のテンプレートの設定の傾向を制御することができる。
【図面の簡単な説明】
【００１２】
【図１】実施例に係る画像形成装置のハードウェア構成を表す図
【図２】クライアント端末のハードウェア構成を表す図
【図３】画像処理部及びクライアント端末が実現する機能構成を表す図
【図４】表示された指示データ一覧の一例を表す図
【図５】表示された操作メニューの一例を表す図
【図６】表示されたプロパティの一例を表す図
【図７】表示されたテンプレート一覧の一例を表す図
【図８】表示されたテンプレート一覧の一例を表す図
【図９】テストプリントにより画像が形成された媒体の一例を表す図
【図１０】表示されたテストプリントの状況の一例を表す図
【図１１】画像形成処理における各装置の動作手順の一例を表す図
【図１２】第２実施例で実現される機能構成を表す図
【図１３】テンプレートの編集画面の一例を表す図
【図１４】表示されたグループの一覧の一例を表す図
【図１５】変形例のテンプレートの編集画面の一例を表す図
【図１６】変形例のテンプレート一覧の一例を表す図
【図１７】テンプレートのプロパティ画面の一例を表す図
【発明を実施するための形態】
【００１３】
［１］実施例
図１は実施例に係る画像形成装置１のハードウェア構成を表す。画像形成装置１は、用紙等の媒体に画像を形成する（プリントする）装置である。図１では、画像形成装置１に対してプリントを指示する操作を受け付けるクライアント端末２が表されている。ユーザがクライアント端末２を操作して媒体にプリントする画像を指定する操作やプリントにおける設定（用紙、レイアウト、カラー、画質などの設定）を決定する操作などを行うことで、クライアント端末２が、そのプリントの指示の内容を表す指示データ（ジョブともいう）を画像形成装置１に送信し、画像形成装置１が、受信した指示データが表す指示に従って画像を形成する。
【００１４】
画像形成装置１は、画像処理部１０と、操作パネル部２０と、画像形成部３０とを備える。画像処理部１０は、前述した指示データが表す画像を処理し、画像形成部３０が媒体に画像を形成可能なフォーマットに変換する。操作パネル部２０は、ディスプレイと、ディスプレイの表面に設けられたタッチパネルとを備え、画像を表示するとともに、ユーザからの操作を受け付ける。画像形成部３０は、画像処理部１０により変換された画像データに基づいて、その画像データが表す画像を例えば電子写真方式で媒体に形成する。
【００１５】
画像処理部１０は、ＣＰＵ（Central Processing Unit）１１と、ＲＡＭ（Random Access Memory）１２と、ＲＯＭ（Read Only Memory）１３と、ＮＶＲＡＭ（Non-Volatile RA M）１４と、ストレージ１５と、パネルＩ／Ｆ（Interface）１６と、エンジンＩ／Ｆ１７と、外部Ｉ／Ｆ１８とを備えるコンピュータである。
【００１６】
ＣＰＵ１１は、ＲＡＭ１２をワークエリアとして用いてＲＯＭ１３やＮＶＲＡＭ１４、ストレージ１５に記憶されているプログラムを実行することで各部の動作を制御する。ＮＶＲＡＭ１４は、読み書きが可能であり且つ自装置の電源を落としても記憶した内容を保持する記憶手段であり、ＣＰＵ１１が制御に用いるデータやプログラムを記憶している。ストレージ１５は、ＨＤＤ（Hard Disk Drive）やＳＳＤ（Solid State Drive）などの記憶手段であり、ＣＰＵ１１が制御に用いるデータやプログラムを記憶している。
【００１７】
パネルＩ／Ｆ１６は、操作パネル部２０が接続され、操作パネル部２０が表示する画像の画像データや操作パネル部２０が受け付けた操作を表す操作データのＣＰＵ１１とのやり取りを中継する。エンジンＩ／Ｆ１７は、画像形成部３０が接続され、画像形成部３０へのプリントの指示を表す指示データがＣＰＵ１１から供給されるとそれを中継して画像形成部３０に供給する。外部Ｉ／Ｆ１８は、クライアント端末２が接続され、クライアント端末２とＣＰＵ１１とのデータのやり取りを中継する。外部Ｉ／Ｆ１８は、例えばクライアント端末２から送信されてきた指示データを受け取ってＣＰＵ１１に供給する。
【００１８】
図２はクライアント端末２のハードウェア構成を表す。クライアント端末２は、ＣＰＵ２１と、ＲＡＭ２２と、ＲＯＭ２３と、Ｉ／Ｆ２４と、ストレージ２５と、ＵＩ部２６とを備えるコンピュータである。ＣＰＵ２１、ＲＡＭ２２、ＲＯＭ２３、ストレージ２５は、図１に表す同名のハードウェアと共通するハードウェアである。Ｉ／Ｆ２４は、画像形成装置１が接続され、画像形成装置１とＣＰＵ２１とのデータのやり取りを中継する。ＵＩ部２６は、ディスプレイ、キーボード及びマウス等を備え、画像を表示するとともに、ユーザからの操作を受け付ける。
【００１９】
画像処理部１０が備えるＣＰＵ１１とクライアント端末２が備えるＣＰＵ２１がそれぞれプログラムを実行して各部を制御することで、以下に述べる機能が実現される。なお、本実施例では、ユーザがクライアント端末２を操作する場合に動作する機能について説明する。
図３は画像処理部１０及びクライアント端末２が実現する機能構成を表す。画像処理部１０は、指示データ記憶部１０１と、プリント制御部１０２と、テストプリント制御部１０３と、テンプレート記憶部１０４と、テンプレート反映部１０５とを備える。
【００２０】
クライアント端末２は、プリント設定操作受付部２０１と、第１プリント開始指示操作受付部２０２と、指示データ生成部２０３と、第１プリント開始要求部２０４と、指示データ一覧表示操作受付部２０５と、指示データ一覧表示部２０６と、プロパティ表示操作受付部２１１と、プロパティ表示部２１２と、第２プリント開始指示操作受付部２１３と、第２プリント開始要求部２１４と、テストプリント状況表示部２１５と、テンプレート一覧表示操作受付部２２１と、テンプレート一覧表示部２２２と、テンプレート反映操作受付部２２３と、テンプレート反映要求部２２４と、第３プリント開始指示操作受付部２
２５と、第３プリント開始要求部２２６とを備える。
【００２１】
プリント設定操作受付部２０１は、プリント（画像形成）の設定を決めるための設定画面において行われたユーザの設定操作を受け付ける。プリントの設定には、上述した用紙、レイアウト、カラー、画質などがある。プリント設定操作受付部２０１は、設定を確定する操作を設定操作として受け付けると、選択されている設定を指示データ生成部２０３に通知する。
【００２２】
第１プリント開始指示操作受付部２０２は、ユーザによるプリントの開始を指示する操作を受け付ける。第１プリント開始指示操作受付部２０２は、例えば、プリントの指示を行うためのプリント画面において行われたプリント開始ボタンを押す操作を、プリント開始の指示操作として受け付ける。第１プリント開始指示操作受付部２０２は、指示操作を受け付けると、その旨を指示データ生成部２０３及び第１プリント開始要求部２０４に通知する。
【００２３】
指示データ生成部２０３は、第１プリント開始指示操作受付部２０２によりプリント開始の指示操作が受け付けられると、プリント設定操作受付部２０１から通知された設定、すなわち現在選択されている設定でのプリントを指示する旨を表す指示データを生成する。指示データには、画像形成部３０に形成させる画像を示す画像情報と、そのプリントにおける設定を示す設定情報とが含まれている。指示データ生成部２０３は、生成した指示データを画像処理部１０に送信する。
【００２４】
指示データ記憶部１０１は、プリントを指示する指示データを記憶する機能であり、例えばクライアント端末２から送信されてきた指示データを記憶する。指示データ記憶部１
０１は、指示データを格納するキューを形成する。このキューに格納された指示データは、順番に取り出されてプリントに用いられることになる。また、指示データ記憶部１０１は、キュー以外にも、プリントが完了した指示データやプリントを中止された指示データを記憶している。これらの指示データは、必要に応じて読み出されて新たなプリントに活用されることがある。
【００２５】
プリント制御部１０２は、画像形成部３０が行うプリントの動作を制御する。プリント制御部１０２は、指示データ記憶部１０１が形成するキューを監視し、そのキューに指示データが格納されると、格納された指示データを順番に読み出し、読み出した指示データが示す指示に従って画像を形成するよう画像形成部３０に指示する。
【００２６】
第１プリント開始要求部２０４は、第１プリント開始指示操作受付部２０２がプリント開始の指示操作を受け付けると、プリントの開始を要求する要求データを画像処理部１０に送信することで、プリントの開始を要求する。この要求データは、指示データ生成部２０３により指示データが生成される場合には、その生成された指示データに基づくプリントを要求し、指示データ記憶部１０１に記憶されている指示データが活用される場合には、その活用される指示データに基づくプリントを要求する。
【００２７】
指示データ一覧表示操作受付部２０５は、指示データの一覧を表示させる操作を受け付け、この操作を受け付けた旨を指示データ一覧表示部２０６に通知する。指示データ一覧表示部２０６は、指示データ記憶部１０１に記憶されている指示データの一覧を表示する。指示データ一覧表示部２０６は、指示データ一覧表示操作受付部２０５からの通知を受け取ると、すなわち指示データの一覧を表示させる操作が受け付けられると、画像処理部１０に指示データを要求する。指示データ記憶部１０１は、この要求を受け取ると、記憶している指示データを読み出してクライアント端末２に送信する。
【００２８】
指示データ一覧表示部２０６は、送信されてきた指示データに基づいて指示データの一覧を表示する。
図４は表示された指示データ一覧の一例を表す。図４の例では、指示データ一覧表示部２０６が、「完了」等の各状態を表すタブと、そのうちの「完了」という状態（プリントが完了した状態）になっている指示データ一覧Ｂ１を表示している。ユーザが指示データ一覧Ｂ１に含まれる指示データのいずれかを選択して特定の操作（例えば右クリック）を行うと、選択した指示データ（図４の例ではＩＤが「００２」の指示データ）に関する操作を行うための操作メニューが表示される。
【００２９】
図５は表示された操作メニューの一例を表す。図５では、プロパティボタンＡ１と、プリント開始ボタンＡ２と、テストプリント開始ボタンＡ３と、テンプレートを用いたテストプリントボタンＡ４とを含む操作メニューＢ２が表示されている。プリント開始ボタンＡ２を押す操作が行われると、第１プリント開始指示操作受付部２０２がその操作をプリント開始の指示操作として受け付け、第１プリント開始要求部２０４が選択されている指示データに基づくプリントを要求する。その結果、選択されている指示データがキューに格納され、プリントが行われる。
【００３０】
第２プリント開始指示操作受付部２１３は、ユーザによるテストプリントの開始を指示する操作を受け付ける。テストプリントとは、プリントする画像の出来を判断するためにプリントを行うことであり、本実施例では、プリントする文書の各ページを１枚ずつプリントすることをいう。第２プリント開始指示操作受付部２１３は、テストプリント開始ボタンＡ３を押す操作をテストプリント開始の指示操作として受け付け、その旨を第２プリント開始要求部２１４に通知する。
【００３１】
第２プリント開始要求部２１４は、第２プリント開始指示操作受付部２１３がテストプリント開始の指示操作を受け付けると、テストプリントの開始を要求するテスト要求データを画像処理部１０に送信する。第２プリント開始要求部２１４は、このテスト要求データを送信することで、テストプリントの開始を画像処理部１０に要求する。テスト要求データには、テストプリントに用いる指示データを特定する情報（例えば指示データのＩＤ）が含まれている。
【００３２】
テストプリント制御部１０３は、画像形成部３０が行うテストプリントの動作を制御する。テストプリント制御部１０３は、テスト要求データを受け取ると、そのテスト要求データに含まれた情報から特定される指示データをキューに格納させる。テストプリント制御部１０３は、キューを監視し、格納させた指示データが読み出される番になると、その指示データを読み出し、読み出した指示データが示す指示に従って各ページの画像をそれぞれ１枚の媒体に形成するよう画像形成部３０に指示する。
【００３３】
画像形成部３０がこの指示に基づいてプリントすることで、文書の各ページが１枚ずつプリントされる（つまりテストプリントされる）。このように、テストプリント制御部１０３は、テストプリントにおいては、既に指示データ記憶部１０１に記憶されている指示データを用いたプリントの動作を制御する。一方、テストプリント制御部１０３は、指示データ生成部１３１及び指示データ出力部１３２を備えているが、これらは、後述するテンプレートを用いたテストプリントの際に用いられる。
【００３４】
プロパティ表示操作受付部２１１は、選択された指示データのプロパティを表示させる表示操作を受け付ける。指示データのプロパティとは、指示データに関する情報のことであり、例えば指示データによってプリントが指示される画像データやそのプリントにおける設定などが含まれる。プロパティ表示操作受付部２１１は、図５に表すプロパティボタンＡ１を押す操作をプロパティの表示操作として受け付け、その旨をプロパティ表示部２１２に通知する。
【００３５】
プロパティ表示部２１２は、プロパティ表示操作受付部２１１からの通知を受け取ると、プロパティの表示操作が受け付けられたと判断し、選択された指示データのプロパティを表示させる。
図６は表示されたプロパティの一例を表す。図６の例では、プロパティ表示部２１２が、選択された指示データが表す設定の一覧を含むプロパティ画面Ｂ３を表示している。また、プロパティ表示部２１２は、プロパティ画面Ｂ３に、プリント開始ボタンＡ５と、テンプレート使用ボタンＡ６とを表示している。プリント開始ボタンＡ５を押す操作が行われると、第１プリント開始指示操作受付部２０２によりプリント開始の指示操作として受け付けられ、このプロパティが表示された指示データに基づくプリントが行われる。
【００３６】
テンプレート使用ボタンＡ６を押す操作が行われると、テンプレート一覧表示操作受付部２２１が、この操作を、テンプレートの一覧を表示させる表示操作として受け付ける。テンプレート一覧表示操作受付部２２１は、この表示操作を受け付けると、その旨をテンプレート一覧表示部２２２に通知する。
【００３７】
テンプレート一覧表示部２２２は、テンプレート一覧表示操作受付部２２１からの通知を受け取ると、テンプレート一覧の表示操作が受け付けられたと判断し、テンプレートの一覧を表示する。テンプレートとは、予め定められたプリントの設定を表すデータである。本実施例では、テンプレートは画像処理部１０に記憶されている。そのため、テンプレート一覧表示部２２２は、画像処理部１０にテンプレートを要求する。
【００３８】
テンプレート記憶部１０４は、画像形成部３０が行うプリントの設定を定めたテンプレートを記憶する機能であり、本発明の「記憶部」の一例である。テンプレート記憶部１０４は、クライアント端末２からのテンプレートの要求を受け取ると、記憶しているテンプレートを読み出してクライアント端末２に送信する。テンプレート一覧表示部２２２は、こうして送信されてきたテンプレートを受け取り、一覧にして表示する。
【００３９】
図７は表示されたテンプレート一覧の一例を表す。図７の例では、テンプレート一覧表示部２２２が、図６に表すプロパティ画面Ｂ３に重ねて、テンプレート一覧Ｃ１（「名刺プリント用」、「写真プリント用」、「カタログプリント用」のテンプレートを含む一覧
）を含むテンプレートの選択画像Ｂ４を表示している。また、テンプレート一覧表示部２２２は、選択画像Ｂ４に、テンプレートの反映ボタンＡ７と、テンプレート反映のキャンセルボタンとを表示している。
【００４０】
図７の例では、「写真プリント用」のテンプレートが選択されている。この状態で反映ボタンＡ７を押す操作が行われると、テンプレート反映操作受付部２２３が、この操作を、指示データに「写真プリント用」のテンプレートの設定を反映する反映操作として受け付け、その旨をテンプレート反映要求部２２４に通知する。
【００４１】
テンプレート反映要求部２２４は、テンプレート反映操作受付部２２３からの通知を受け取ると、プロパティ画面Ｂ３が表示された指示データの設定に、テンプレートの選択画像Ｂ４で選択されているテンプレートの設定を反映することを要求する要求データを画像処理部１０に送信する。テンプレート反映要求部２２４は、この要求データを送信することで、指示データへのテンプレートの反映を画像処理部１０に要求する。
【００４２】
テンプレート反映部１０５は、テンプレート反映要求部２２４から送信されてきた要求データを受け取ると、要求データが表す指示データを指示データ記憶部１０１から読み出し、読み出した指示データに、要求データが表すテンプレート（図７の例では「写真プリント用」のテンプレート）の設定を反映する。テンプレート反映部１０５は、設定を反映した指示データを指示データ記憶部１０１に上書き保存する。このように、テンプレートの選択画像Ｂ４でテンプレートの反映操作が行われると、指示データの設定がテンプレートの設定に変更される。
【００４３】
テンプレート一覧表示操作受付部２２１は、図５に表す操作メニューＢ２に含まれるテンプレートを用いたテストプリントボタンＡ４を押す操作が行われた場合も、この操作を、テンプレートの一覧を表示させる表示操作として受け付ける。テンプレート一覧表示操作受付部２２１がこの表示操作を受け付けると、テンプレート一覧表示部２２２が次のようにテンプレートの一覧を表示する。
【００４４】
図８は表示されたテンプレート一覧の一例を表す。図８の例では、テンプレート一覧表示部２２２が、図５に表す指示データ一覧Ｂ１に重ねて、テンプレート一覧Ｃ１を含むテンプレートの選択画像Ｂ５を表示している。また、テンプレート一覧表示部２２２は、選択画像Ｂ５に、プリント開始ボタンＡ８と、テンプレートを用いたテストプリントのキャンセルボタンとを表示している。
【００４５】
プリント開始ボタンＡ８を押す操作がユーザによって行われると、第３プリント開始指示操作受付部２２５が、この操作を、テンプレート（図８の例では「写真プリント用」のテンプレート）を用いたテストプリントの開始を指示する操作として受け付け、その旨を第３プリント開始要求部２２６に通知する。
【００４６】
第３プリント開始要求部２２６は、第３プリント開始指示操作受付部２２５からの通知を受け取ると、指示データ一覧Ｂ１で選択されていた指示データ（図５の例ではＩＤが「００２」の指示データ）の設定に、テンプレートの選択画像Ｂ５で選択されているテンプレート（図８の例では「写真プリント用」のテンプレート）の設定を反映したものでテストプリントを開始することを要求するテスト要求データを画像処理部１０に送信する。
【００４７】
第３プリント開始要求部２２６は、このテスト要求データを送信することで、テンプレートを用いたテストプリントの開始を画像処理部１０に要求する。このテスト要求データには、テストプリントに用いる指示データを特定する情報（例えば指示データのＩＤ）及び選択されたテンプレートが含まれている。
【００４８】
テストプリント制御部１０３は、画像形成部３０の動作を制御して、テンプレートを用いたテストプリントを行わせる。テストプリント制御部１０３が備える指示データ生成部１３１は、テスト要求データを受け取ると、そのテスト要求データに含まれた情報から特定される指示データを指示データ記憶部１０１から読み出す。指示データ生成部１３１は、読み出した指示データの設定を、テスト要求データが表すテンプレートの設定に変更した新たな指示データを生成する。つまり、このとき、元の指示データは、指示データ記憶部１０１に記憶されたままになっている。
【００４９】
また、指示データ生成部１３１は、テンプレートを用いたテストプリントを行う媒体にそのテンプレートを識別する情報をプリントする指示を示すデータを、新たな指示データとして生成する。テンプレートを識別する情報は、例えば、図８に表すテンプレート名（「名刺プリント用」など）である。指示データ生成部１３１は、こうして新たに生成した指示データを指示データ出力部１３２に供給する。指示データ出力部１３２は、供給された指示データを指示データ記憶部１０１に対して出力し、キューに格納させる。後は、テストプリントの場合のように各部が動作することで、テンプレートの設定が反映された指示データに基づくテストプリントが行われる。
【００５０】
図９はテストプリントにより画像が形成された媒体の一例を表す。図９では、「写真プリント用」というテンプレートの識別情報Ｄ１と、写真の画像Ｅ１とが形成された媒体Ｆ１が表されている。このように識別情報Ｄ１が形成されることで、テンプレートを識別する情報が媒体に形成されない場合に比べて、テストプリントで用いられたテンプレートの確認が容易になっている。
【００５１】
このように、テストプリント制御部１０３は、テンプレートを用いたテストプリントを指示する指示操作（図８の例ではプリント開始ボタンＡ８を押す操作）が行われた場合に、そのテンプレートの設定を反映したテストプリントを画像形成部３０に指示する指示データを生成して出力する。テストプリント制御部１０３は本発明の「生成・出力部」の一例である。
【００５２】
この指示操作は、テストプリントに用いられるテンプレートが表示された画面上（図８の例ではテンプレートの選択画像Ｂ５が表示された画面上）で行われる。例えば図５に表すテストプリント開始ボタンＡ３を用いたテストプリントを指示する指示操作は、図５に表されるようにテンプレートが表示されていない画面上で行われる。また、図７に表すテンプレートを反映した場合も、図６に表すプリント開始ボタンＡ５を押す操作がプリントの開始を指示する指示操作になるので、やはりテンプレートが表示されていない画面上で行われる。
【００５３】
また、テストプリント制御部１０３が指示データ記憶部１０１から読み出した指示データを第１指示データとし、その第１指示データからテストプリント制御部１０３が生成した指示データを第２指示データとすると、テストプリント制御部１０３は、第１指示データ及びテンプレートが選択された場合に、その第１指示データとは別に、第１指示データの設定をテンプレートの設定に変更した第２指示データを生成し、テストプリントを指示する指示データとしてその第２指示データを出力する。
【００５４】
テストプリント制御部１０３は、テストプリントの状況をクライアント端末２に通知する。テストプリント状況表示部２１５は、この通知に基づいて、テストプリントの状況を表示する。
図１０は表示されたテストプリントの状況の一例を表す。図１０では、テストプリント状況表示部２１５が、テストプリントの状況画像Ｂ６を表示している。状況画像Ｂ６には、「写真プリント用のテンプレートを用いたテストプリントは完了しました。設定を反映しますか？」という文字列と、設定の反映ボタンＡ１１と、他のテンプレートを用いたテストプリントボタンＡ１２と、テストプリントの終了ボタンＡ１３とが表示されている。
【００５５】
テストプリントボタンＡ１２を押す操作が行われると、テンプレート一覧表示部２２２が図８に表すテンプレートの選択画像Ｂ５を再び表示する。終了ボタンＡ１３を押す操作が行われると、例えば図４に表す指示データ一覧Ｂ１の表示に戻る。反映ボタンＡ１１を押す操作が行われると、テンプレート反映操作受付部２２３が、この操作を、指示データに「写真プリント用」のテンプレートの設定を反映する反映操作として受け付け、その旨をテンプレート反映要求部２２４に通知する。この通知により、テンプレート反映要求部２２４及びテンプレート反映部１０５が上記の動作を行い、テストプリントで用いられたテンプレートの設定が指示データに反映される。
【００５６】
このように、テンプレート反映操作受付部２２３は、上述した第２指示データ（テストプリント制御部１０３が生成した指示データ）の指示によりテストプリントが行われたときに表示される画面（ユーザが画面を表示させるための操作をしなくても表示される画面）において行われる特定の操作（この例では状況画像Ｂ６を含む画面において行われる反映ボタンＡ１１を押す操作）を、テンプレートの設定を反映する反映操作として受け付ける。テンプレート反映部１０５は、この反映操作が行われると、第１指示データ（元の指示データ）が表す設定を第２指示データが表す設定（要するにテンプレートの設定）に変更する。テンプレート反映部１０５は本発明の「第１変更部」の一例である。
【００５７】
画像形成装置１及びクライアント端末２は、上記の構成に基づいて、テストプリントを行うテストプリント処理を行う。
図１１は画像形成処理における各装置の動作手順の一例を表す。この動作手順は、例えばユーザによって指示データの一覧を表示させる操作が行われ、画像処理部１０から指示データがクライアント端末２に送信されたことを契機に開始される。まず、クライアント端末２（指示データ一覧表示部２０６）は、指示データの一覧（例えば図４に表す指示データ一覧Ｂ１）を表示する（ステップＳ１１）。
【００５８】
次に、クライアント端末２（テンプレート一覧表示操作受付部２２１）は、テンプレート一覧を表示させる操作（例えば図５に表す「００２」というＩＤの指示データを右クリックし、表示された操作メニューＢ２に含まれるテンプレートを用いたテストプリントボタンＡ４を押す操作）を受け付ける（ステップＳ１２）。この操作は、指示データを選択する操作にもなっている。続いて、クライアント端末２（テンプレート一覧表示部２２２）がテンプレートを画像処理部１０に要求し、画像処理部１０（テンプレート記憶部１０４）が要求されたテンプレートをクライアント端末２に送信する（ステップＳ１３）。
【００５９】
クライアント端末２（テンプレート一覧表示部２２２）は、ステップＳ１３で送信されてきたテンプレートに基づいてテンプレート一覧（例えば図８に表すテンプレート一覧Ｃ１）を表示する（ステップＳ１４）。クライアント端末２（テンプレート一覧表示部２２２）は、ステップＳ１３で送信されてきたテンプレートに基づいてテンプレート一覧を表示する（ステップＳ１４）。次に、クライアント端末２（第３プリント開始指示操作受付部２２５）は、ステップＳ１２で選択された指示データとステップＳ１５で選択されたテンプレートとを用いたテストプリント開始の指示操作（例えば図８に表すプリント開始ボタンＡ８を押す操作）を受け付ける（ステップＳ１５）。続いて、クライアント端末２（第３プリント開始要求部２２６）は、テンプレートを用いたテストプリントの開始を画像処理部１０に要求する（ステップＳ１６）。
【００６０】
画像処理部１０（テストプリント制御部１０３）は、ステップＳ１６で受け取った要求に基づき、自装置に記憶されている指示データから、ステップＳ１２で選択された指示データを読み出す（ステップＳ１７）。次に、画像処理部１０（テストプリント制御部１０３）は、読み出した指示データの設定をテンプレートの設定に変更した新たな指示データであり、且つ、そのテンプレートの識別情報を媒体にプリントする指示を示す新たな指示データを生成する（ステップＳ１８）。続いて、画像処理部１０（テストプリント制御部１０３）は、生成した新たな指示データを出力してキューに格納させる（ステップＳ１９）。
【００６１】
次に、画像処理部１０（テストプリント制御部１０３）は、キューに格納した指示データを読み出し、読み出した指示データが示す指示に従って画像を形成するように画像形成部３０に指示する（ステップＳ２０）。画像形成部３０は、ステップＳ２０で受け取った指示に基づいて媒体に画像を形成し、テンプレートを用いたテストプリントを行う（ステップＳ２１）。次に、画像処理部１０は、画像形成部３０がプリントを完了したことを把握し（ステップＳ３１）、その旨をクライアント端末２に通知する（ステップＳ３２）。
【００６２】
クライアント端末２（テストプリント状況表示部２１５）は、テンプレートを用いたテストプリントが終了したことを表す画面（例えば図１０に表す画面）を表示する（ステップＳ３３）。次に、クライアント端末２（テンプレート反映操作受付部２２３）は、指示データにテンプレートを反映させる反映操作を受け付ける（ステップＳ３４）。続いて、クライアント端末２（テンプレート反映要求部２２４）は、指示データにテンプレートを反映させることを画像処理部１０に要求する（ステップＳ３５）。画像処理部１０（テンプレート反映部１０５）は、この要求に従い、指示データにテンプレートを反映する（ステップＳ３６）。
【００６３】
以上のとおり、本実施例では、テンプレートを用いたテストプリントを行う場合に、テンプレートが表示された画面上でプリントを指示する指示操作（例えば図８に表すプリント開始ボタンＡ８を押す操作）を行うだけでよい。これにより、テストプリントを指示する操作以外に、指示データにテンプレートを反映する操作（例えば図７に表すテンプレートの反映ボタンＡ７を押す操作）が必要な場合に比べて、テストプリントにおいてテンプレートを利用するための手間が小さくなる。
【００６４】
また、本実施例では、或る指示データ（第１指示データ）及びテンプレートが選択された場合に、その第１指示データとは別に、第１指示データの設定をテンプレートの設定に変更した第２指示データが生成される。これにより、元の指示データ（第１指示データ）の設定を変更して上書きする場合に比べて、テストプリント後に元の指示データを利用する際の手間が小さくなるようになっている。
【００６５】
また、本実施例では、上記のとおりテンプレートの設定を反映したテストプリントが行われても元の指示データ（第１指示データ）の設定は変更されないが、テストプリントが行われたときに表示される画面（例えば図１０に表すテストプリントの状況画像Ｂ６を含む画面）において特定の操作（反映ボタンＡ１１を押す操作）を行えば元の指示データの設定がテンプレートの設定に変更される。これにより、この設定の変更のために別の画面（例えば図７に表すテンプレートの選択画像Ｂ４を含む画面）で操作（テンプレートの反映ボタンＡ７を押す操作）が行われる場合に比べて、元の指示データにテンプレートを反映する手間が少なくなっている。
【００６６】
［２］第２実施例
本発明の第２実施例について、以下、第１実施例と異なる点を中心に説明する。第１実施例では、１つのテンプレートの設定を反映したテストプリントが行われたが、第２実施例では、複数のテンプレートの設定を反映したテストプリントが行われる。
【００６７】
図１２は第２実施例で実現される機能構成を表す。図１２では、第２実施例に係るクライアント端末２ａと、画像処理部１０ａとが実現する機能が表されている。クライアント端末２ａは、図３に表す各部に加え、テンプレート編集操作受付部２３１と、テンプレート編集要求部２３２とを備える。画像処理部１０ａは、図３に表す各部に加え、テンプレート生成部１０６を備える。クライアント端末２ａは、ユーザの操作に基づいてテンプレートの編集画面を表示する。
【００６８】
図１３はテンプレートの編集画面の一例を表す。図１３では、クライアント端末２ａが、テンプレート編集画面Ｂ１１を表示している。テンプレート編集画面Ｂ１１には、割り振り対象チェックボックスＧ１と、範囲指定欄Ｇ２と、選択肢指定欄Ｇ３と、実行有無指定欄Ｇ４と、テンプレート数指定欄Ｇ５と、グループ名指定欄Ｇ６と、テンプレート生成ボタンＡ２１とが表示されている。割り振り対象チェックボックスＧ１は、設定の自動割り振りの対象となる項目を指定するチェック欄である。自動割り振りとは、複数のテンプレートが生成される際に、各テンプレートで互いに異なる設定を割り振ることをいう。
【００６９】
範囲指定欄Ｇ２は、数値で表される設定について自動割り振りする数値の範囲を指定する操作を受け付けるための表示欄である。図１３の状態では、範囲指定欄Ｇ２に「１−９」という濃度の範囲（１から９までの範囲）が指定されている。この範囲は、上下向きのボタンの操作や直接数値が入力されることで指定される。選択肢指定欄Ｇ３は、複数の選択肢からなる設定のうち、自動割り振りする選択肢を指定する操作を受け付けるための表示欄である。図１３の状態では、選択肢指定欄Ｇ３において「長辺とじ」、「天地同じ」、「天地逆」という選択肢が指定されている。
【００７０】
実行有無指定欄Ｇ４は、特定の動作を実行するか実行しないかの２択からなる設定を表す表示欄である。図１３の状態では、「画像を１８０度回転する」という設定は自動割り振りの対象となっている。また、「画像を左右反転する」という設定は、自動割り振りの対象となっていないが、ユーザの操作によりチェックが入っている（つまりこの動作を実行する設定になっている）。このように、自動割り振りの対象でない設定については、ユーザが指定した設定が用いられる。
【００７１】
テンプレート数指定欄Ｇ５は、生成されるテンプレート数を指定するための表示欄である。テンプレート数は、上下向きのボタンの操作や直接数値が入力されることで指定される。グループ名指定欄Ｇ６は、生成される複数のテンプレートのグループ名を指定するための表示欄である。図１３では、「ＡＡＡ」というグループ名が指定されている。テンプレート編集操作受付部２３１は、各指定欄の指定内容を決める操作をテンプレートの編集操作として受け付ける。また、テンプレート編集操作受付部２３１は、テンプレート生成ボタンＡ２１を押す操作を、設定の自動割り振りの内容を確定し、複数のテンプレートの生成開始を指示する操作として受け付ける。
【００７２】
テンプレート編集操作受付部２３１はこの操作を受け付けるとその旨をテンプレート編集要求部２３２に通知する。テンプレート編集要求部２３２は、この通知を受け取ると、テンプレート編集画面Ｂ１１で指定されている内容で複数のテンプレートを生成するよう画像処理部１０ａに要求する。画像処理部１０ａのテンプレート生成部１０６は、この要求を受け取ると、受け取った要求に基づいて、特定の項目の設定が互いに異なる複数のテンプレートを生成する。
【００７３】
図１３の例の場合、テンプレート生成部１０６は、濃度の設定が９通り、両面の設定が３通り、画像を１８０度回転する設定が２通りとなり、且つ、テンプレート数が１０個となるように指定されているので、９×３×２＝５４通りの設定の組み合わせのうちから１０個の設定の組み合わせを抽出し、抽出した１０個の組み合わせの設定のテンプレートを生成する。テンプレート生成部１０６は、本実施例では、例えば濃度の設定であれば、各テンプレートにおける濃度の設定を９通りの設定からランダムで採用したものにする。
【００７４】
テンプレート生成部１０６は、こうして生成した複数のテンプレートを、指定されたグループ名に対応付けてテンプレート記憶部１０４に記憶させる。テンプレート記憶部１０４は、こうして複数のテンプレートが属するグループを記憶する。また、複数のテンプレートが属するグループの生成が複数回行われることで、テンプレート記憶部１０４は、複数のグループを記憶する。本実施例のテンプレート一覧表示部２２２は、こうして記憶されたテンプレートのグループの一覧を表示する。
【００７５】
図１４は表示されたグループの一覧の一例を表す。図１４の例では、テンプレート一覧表示部２２２が、「名刺プリント用グループ１」、「名刺プリント用グループ２」、「カタログプリント用グループ１」というグループの一覧Ｃ２１と、プリント開始ボタンＡ２２と、グループの選択を中止するキャンセルボタンとを含むテンプレートグループの選択画面Ｂ１２を表示しており、そのうちの「名刺プリント用グループ２」が選択された状態になっている。
【００７６】
この状態でプリント開始ボタンＡ２２を押す操作が行われると、第３プリント開始指示操作受付部２２５が、この操作を、選択されたグループに属する複数のテンプレートを用いたテストプリントの開始を指示する操作として受け付け、その旨を第３プリント開始要求部２２６に通知する。第３プリント開始要求部２２６は、この通知を受け取ると、元の指示データ（例えば指示データ一覧で選択されていた指示データ）の設定に、選択されたグループに属する複数のテンプレートを用いたテストプリントの開始を要求する。
【００７７】
テストプリント制御部１０３は、画像形成部３０の動作を制御して、選択されたグループに属する複数のテンプレートを用いたテストプリントを行わせる。具体的には、テストプリント制御部１０３は、そのグループに属する複数のテンプレートを反映した複数のテストプリントをそれぞれ指示する複数の指示データを新たに生成する。指示データ出力部１３２は、生成した複数の指示データを指示データ記憶部１０１に対して出力し、それぞれキューに格納させる。後は、テストプリントの場合のように各部が動作することで、テンプレートの設定が反映された複数の指示データに基づくテストプリントが行われる。これにより、本実施例では、複数のテストプリントが途中で停止することなく全てが完了するまで継続する。
【００７８】
互いに設定が異なる複数のテンプレートが記憶されている場合、対象のテンプレートを選択し直しながらテンプレートを用いたテストプリントの開始操作を複数回行うことで、複数のテンプレートを用いたテストプリントが実行される。これに対し、本実施例では、上記のいずれかのグループを選択する操作を行えば、そのグループに属する複数のテンプレートを用いたテストプリントが実行される。このように、本実施例によれば、複数通りの設定をテストプリントで試す際の手間が、テンプレートを用いたテストプリントの開始操作が複数回行われる場合に比べて少なくなる。また、設定の自動割り振りによる複数のテンプレートの生成を行うことで、複数のテンプレートを生成させる際の手間が、各テンプレートの設定をユーザが個々に行う場合に比べて少なくなっている。
【００７９】
［３］変形例
上述した各実施例はそれぞれが本発明の実施の一例に過ぎず、以下のように変形させてもよい。また、各実施例及び各変形例は、必要に応じて組み合わせて実施してもよい。
【００８０】
［３−１］設定の自動割り振り方法
第２実施例において、複数のテンプレートの生成において設定の自動割り振りを行う際に、各設定に重み付けを行ってもよい。その場合、例えば図１３に表すテンプレート編集画面Ｂ１１において、各設定の重みを定めるための操作が行われる。
【００８１】
図１５は本変形例のテンプレートの編集画面の一例を表す。図１５では、クライアント端末２ａが、テンプレート編集画面Ｂ１１に重ねて、重み付け設定画像Ｇ１１を表示している。重み付け設定画像Ｇ１１は、「両面」という設定項目において自動割り振りの対象となっている各選択肢の重みを定めるための画像である。この例では、「長辺とじ」、「天地同じ」、「天地逆」という各選択肢の重みが「５０％」、「２５％」、「２５％」と決められている。
【００８２】
これにより、テンプレート生成部１０６は、「両面」という項目の設定として、５０％の確率で「長辺とじ」を採用し、それぞれ２５％の確率で「天地同じ」及び「天地逆」のいずれかを採用して、複数のテンプレートを生成する。このように、テンプレート生成部１０６は、各設定にユーザが定めた重みを付与し、テンプレートの設定として採用する確率を付与された重みに応じて変化させる。これにより、自動割り振りにより生成される複数のテンプレートの設定の傾向が、ユーザの意図に基づいて制御されることになる。
【００８３】
なお、設定の自動割り振り方法は上記のものに限らない。例えば、テンプレート生成部１０６は、割り振るべき設定が均等に現れるようにした複数のテンプレートを生成してもよい。テンプレート生成部１０６は、例えば図１３に表す「濃度」の項目であれば、１０個のテンプレートのうち９個のテンプレートに９通りの設定をそれぞれ採用し、残り１個のテンプレートには９個の設定のうちのいずれかをランダムで採用する。これにより、設定が偏って採用されてしまい試してみたい設定でのテストプリントが行われない、ということが防がれる。
【００８４】
［３−２］テンプレートの複製
複数のテンプレートの生成方法は上記のものに限らない。例えば既存のテンプレートの複製（コピー）を生成し、生成したコピーの設定を変更することで複数のテンプレートを生成してもよい。
【００８５】
図１６は本変形例のテンプレート一覧の一例を表す。図１６の例では、図１２に表すテンプレート一覧表示部２２２がテンプレート一覧画面Ｂ１３を表示している。テンプレート一覧画面Ｂ１３には、「名刺プリント用１」という名称のテンプレートと、それを複製した「名刺プリント用１（コピー１）」、「名刺プリント用１（コピー２）」、「名刺プリント用１（コピー３）」という名称のテンプレートとが表示されている。また、このうちの「名刺プリント用１（コピー１）」を選択した状態で例えば右クリックをすることで、コピーボタンＡ２３と、プロパティボタンＡ２４とを含む操作メニューＢ１４が表示されている。
【００８６】
コピーボタンＡ２３を押す操作が行われると、テンプレート編集操作受付部２３１がこの操作を受け付け、テンプレート編集要求部２３２がテンプレートの複製を画像処理部１０に要求する。この要求を受け取ると、テンプレート生成部１０６が、テンプレート記憶部１０４に記憶されているテンプレートを複製し、新たなテンプレートを生成する。テンプレート生成部１０６は、複製したテンプレートをテンプレート記憶部１０４に記憶させる。
【００８７】
プロパティボタンＡ２４を押す操作が行われると、プロパティ表示操作受付部２１１がこの操作を受け付け、プロパティ表示部２１２がテンプレートのプロパティを表示する。
図１７はテンプレートのプロパティ画面の一例を表す。図１７では、「名刺プリント用１（コピー１）」というテンプレートのプロパティ画面Ｂ１５が表示されている。プロパティ画面Ｂ１５には、この画面で行った設定の編集結果を反映させる反映ボタンＡ２５と、その編集結果を反映させないキャンセルボタンＡ２６とが表示されている。
【００８８】
ユーザがこの画面で設定を編集して反映ボタンＡ２５を押す操作を行うと、テンプレート生成部１０６が、プロパティが表示されたテンプレートをテンプレート記憶部１０４から読み出し、変更された設定を反映することで、ユーザによって設定が変更された新たなテンプレートを生成する。テンプレート生成部１０６は、設定を変更した新たなテンプレートでテンプレート記憶部１０４に記憶されている元のテンプレートを上書きする。この設定変更の操作をユーザが繰り返すことで、「名刺プリント用１」というテンプレートから、「名刺プリント用１（コピー１）」、「名刺プリント用１（コピー２）」、「名刺プリント用１（コピー３）」という３つの設定が互いに異なるテンプレートが生成される。
【００８９】
なお、ユーザは、第２実施例の自動割り振りで生成された複数のテンプレートについても、各テンプレートのプロパティを表示させて、テストプリントで試したい設定に変更してもよい。要するに、全ての項目の設定をユーザが行うと手間が多くなるので、自動割り振りにより生成されたテンプレートや複製したテンプレートを利用して、ユーザは一部の項目だけを設定するようにして手間を省けばよい。
【００９０】
［３−３］テストプリント
第２実施例では、複数のテストプリントが途中で停止することなく全てが完了するまで継続したが、これに限らない。テストプリント制御部１０３は、例えば、テンプレートを反映した指示データを出力して指示データ記憶部１０１に記憶させるが、最初の１つの指示データ以外はキューには格納させないようにする。そして、テストプリント制御部１０３は、ユーザからのテストプリント開始の操作が行われる度に、指示データを１つずつキューに格納する。
【００９１】
この場合、１つのテンプレートを反映したテストプリントが完了する度にテストプリントが停止するので、ユーザは毎回テストプリントした画像の出来を判断することになる。これにより、ユーザが画像の出来が十分だと判断したらそれ以降のテストプリントを中止することで、媒体や画像形成装置を動作させる電力のコストが削減される。
【００９２】
また、テストプリント制御部１０３は、テストプリントにおいて、プリントする文書の各ページを１枚ずつプリントするだけでなく、例えば２枚以上ずつプリントしてもよいし、一部のページだけをプリントしてもよい。また、テストプリント制御部１０３は、１ページの文書内が複数の領域に分割されている場合に、そのうちのいずれかの領域だけをプリントしてもよい。
【００９３】
［３−４］指示データの生成
テストプリント制御部１０３は、上記の実施例では、第１指示データ及びテンプレートが選択された場合に、その第１指示データとは別に、第１指示データの設定をテンプレートの設定に変更した第２指示データを生成したが、これに限らず、第１指示データの設定をテンプレートに設定に変更して上書き保存してもよい。この場合、第１指示データにテンプレートの設定を反映させる手間が不要になる。
【００９４】
［３−５］発明のカテゴリ
本発明は、画像処理部１０のように画像を処理する画像処理装置の他、その画像処理装置及び画像形成部を備える画像形成装置としても捉えられるし、クライアント端末２のようにユーザインターフェースとなる装置と画像形成装置とを備える画像形成システムとしても捉えられる。また、本発明は、各装置が実施する処理を実現するための画像処理方法としても捉えられるし、各装置を制御するコンピュータを機能させるためのプログラムとしても捉えられる。このプログラムは、それを記憶させた光ディスク等の記録媒体の形態で提供されてもよいし、インターネット等の通信回線を介してコンピュータにダウンロードさせ、それをインストールして利用可能にするなどの形態で提供されてもよい。
【符号の説明】
【００９５】
１…画像形成装置、２…クライアント端末、１０…画像処理部、２０…操作パネル部、３０…画像形成部、１０１…指示データ記憶部、１０２…プリント制御部、１０３…テストプリント制御部、１０４…テンプレート記憶部、１０５…テンプレート反映部、１０６… テンプレート生成部、２０１…プリント設定操作受付部、２０２…第１プリント開始指示操作受付部、２０３…指示データ生成部、２０４…第１プリント開始要求部、２０５…指示データ一覧表示操作受付部、２０６…指示データ一覧表示部、２１１…プロパティ表示操作受付部、２１２…プロパティ表示部、２１３…第２プリント開始指示操作受付部、２１４…第２プリント開始要求部、２１５…テストプリント状況表示部、２２１…テンプレート一覧表示操作受付部、２２２…テンプレート一覧表示部、２２３…テンプレート反映操作受付部、２２４…テンプレート反映要求部、２２５…第３プリント開始指示操作受付部、２２６…第３プリント開始要求部、２３１…テンプレート編集操作受付部、２３２… テンプレート編集要求部。
【図１】
2020191115.tif 000003
【図２】
2020191115.tif 000004
【図３】
2020191115.tif 000005
【図４】
2020191115.tif 000006
【図５】
2020191115.tif 000007
【図６】
2020191115.tif 000008
【図７】
2020191115.tif 000009
【図８】
2020191115.tif 000010
【図９】
2020191115.tif 000011
【図１０】
2020191115.tif 000012
【図１１】
2020191115.tif 000013
【図１２】
2020191115.tif 000014
【図１３】
2020191115.tif 000015
【図１４】
2020191115.tif 000016
【図１５】
2020191115.tif 000017
【図１６】
2020191115.tif 000018
【図１７】
2020191115.tif 000019